(57)【特許請求の範囲】
【請求項１】
圧縮機による冷媒の圧縮を制御する制御回路に所定処理を実行させるための操作部と、該操作部を配した回路基板とを備え、圧縮された冷媒を室内機へ送出するようにしてある空気調和機の室外機において、
前記回路基板に装着されており、前記操作部を覆う絶縁シートを備え、
前記回路基板及び前記絶縁シートは対応する複数組の孔部を有し、
更に、
前記制御回路を収容した収容体と、
前記孔部に挿通して、前記絶縁シートを前記回路基板の前記操作部側に保持すると共に、前記回路基板を前記収容体に保持する保持具と
を備え、
前記保持具は、
前記収容体の外部で前記回路基板及び前記収容体が離隔し、前記操作部を外側に向けて前記回路基板を保持しており、
前記絶縁シートは、
前記回路基板の前記操作部側と前記収容体側との間に亘り、前記回路基板の前記収容体側で前記保持具に挿通している孔部を備える
ことを特徴とする空気調和機の室外機。
【請求項２】
前記回路基板に配されており、前記所定処理の処理結果、又は室内機からの信号に応じて発光する発光部を備え、
前記絶縁シートは、
透光性を有し、前記操作部及び前記発光部を覆うようにしてある
ことを特徴とする請求項１に記載の空気調和機の室外機。
【発明の詳細な説明】
【技術分野】
【０００１】
本発明は、圧縮機による冷媒の圧縮を制御する制御回路に所定処理を実行させるための操作部、及び該操作部を覆う絶縁シートを備える空気調和機の室外機に関する。
【０００２】
図１１は、従来の空気調和機の室外機の構成を示すブロック図である。図中１６は、交流電源であり、交流を直流に変換するコンバータ１７、スイッチング素子を備え、コンバータ１７が変換した直流を、圧縮機１３のブラシレスＤＣモータへ断続的に供給するインバータ１８を備えている。また、空気調和機の室外機は、圧縮機１３による冷媒の圧縮、図示しないファンの回転等を制御する制御回路２０、及びコンバータ１７で変換された直流を所定電圧の直流に変換し、変換した直流を制御回路２０へ供給する直流電源回路１９を備えている。ここで、コンバータ１７及び直流電源回路１９より電力供給を受けて動作する制御回路２０の部位と、直流電源回路１９の部位とに対する回路接地電位が同じになるように回路構成されている。
【０００３】
制御回路２０には、空気調和機を構成する空気調和機の室外機及び室内機を検査するための入出力装置１２が接続されている。入出力装置１２は、回路基板を備え、該回路基板には押しボタン式の操作部及び表示部が配されている。制御回路２０は、操作部が操作された場合、空気調和機の室外機及び室内機の検査に係る所定処理を実行し、処理結果及び室外機からの信号を表示部に表示するように構成されている。
【背景技術】
【０００４】
【特許文献１】特開２００４−１０１１０６号公報
【発明の開示】
【発明が解決しようとする課題】
【０００５】
しかしながら、従来の空気調和機の室外機においては、空気調和機の検査員が操作部を操作した場合、感電する虞があった。
【０００６】
本発明は斯かる事情に鑑みてなされたものであり、操作部を覆う絶縁シートを回路基板に装着することにより、操作部の操作時に検査員が感電することを防ぐことができる空気調和機の室外機を提供することを目的とする。
【０００７】
本発明の他の目的は、所定処理の処理結果に応じて発光する発光部及び操作部を、透光性を有する絶縁シートで覆うように構成することにより、操作部のみを部分的に覆う場合に比べて、より簡易に絶縁シートを回路基板に装着させることができ、しかも発光部が絶縁シートで覆われた状態で処理結果を視認することができる空気調和機の室外機を提供することにある。
【０００８】
本発明の他の目的は、回路基板及び絶縁シートに対応する複数組の孔部を備え、制御回路を収容した収容体と、前記孔部に挿通して絶縁シートを回路基板の操作部側に保持すると共に、回路基板を収容体に保持する保持具とを備えることにより、組立工程において回路基板及び絶縁シートを一時に収容体に備えることができる空気調和機の室外機を提供することにある。
【０００９】
本発明の他の目的は、収容体の外部で収容体から離隔するように回路基板を収容体に保持し、絶縁シートが回路基板の操作部側と収容体側との間に亘るように構成することにより、回路基板を収容体内部に備える場合に比べて、容易に操作部を操作することができ、しかも回路基板に配された操作部のみならず、回路基板の裏側も絶縁シートで覆うことができ、表側のみならず、裏側にも埃、雨天時の水滴等が付着することを防ぐことができる空気調和機の室外機を提供することにある。
【課題を解決するための手段】
【００１０】
本発明に係る空気調和機の室外機は、圧縮機による冷媒の圧縮を制御する制御回路に所定処理を実行させるための操作部と、該操作部を配した回路基板とを備え、圧縮された冷媒を室内機へ送出するようにしてある空気調和機の室外機において、前記回路基板に装着されており、前記操作部を覆う絶縁シートを備え、前記回路基板及び前記絶縁シートは対応する複数組の孔部を有し、更に、前記制御回路を収容した収容体と、前記孔部に挿通して、前記絶縁シートを前記回路基板の前記操作部側に保持すると共に、前記回路基板を前記収容体に保持する保持具とを備え、前記保持具は、前記収容体の外部で前記回路基板及び前記収容体が離隔し、前記操作部を外側に向けて前記回路基板を保持しており、前記絶縁シートは、前記回路基板の前記操作部側と前記収容体側との間に亘り、前記回路基板の前記収容体側で前記保持具に挿通している孔部を備えることを特徴とする。
【００１１】
本発明にあっては、回路基板に絶縁シートが装着されており、絶縁シートは、操作部を覆っている。従って、絶縁シートを介して操作部を操作することができ、操作部を直接操作した場合に生ずる感電を防止することができる。
また、絶縁シート及び回路基板が備える複数組の孔部に夫々保持具を挿通し、該保持具は、回路基板を収容体に保持すると共に、絶縁シートを回路基板の操作部側に保持する。従って、組立工程において、回路基板を収容体に保持する工程と、絶縁シートを回路基板に備える工程とを一工程で済ませることができる。
更に、本発明にあっては、回路基板は、収容体の外部に保持されており、回路基板及び収容体は離隔している。回路基板に配された操作部は外側、つまり収容体と反対側を向いている。従って、回路基板が収容体の内部に収容されている場合に比べて、操作部を容易に操作することができる。
また、絶縁シートは、回路基板の操作部側と収容体側との間に亘り、回路基板の収容体側の保持具に挿通した孔部を備えている。従って、回路基板の操作部側及び回路基板の収容体側が絶縁シートによって覆われる。
【００１２】
本発明に係る空気調和機の室外機は、前記回路基板に配されており、前記所定処理の処理結果、又は室内機からの信号に応じて発光する発光部を備え、前記絶縁シートは、透光性を有し、前記操作部及び前記発光部を覆うようにしてあることを特徴とする。
【００１３】
本発明にあっては、回路基板に配された発光部も操作部と共に絶縁シートで覆われているが、絶縁シートは透光性を有している。従って、操作部のみを部分的に覆うように絶縁シートを形成し、該絶縁シートを回路基板に装着する場合に比べて、より簡易に操作部を絶縁シートで覆うことができる。また、検査員は、絶縁シートで覆われた状態で発光部の点灯又は消灯を視認することができる。
【発明の効果】
【００１８】
本発明によれば、制御回路に所定処理を実行させるための操作部の操作時に検査員が感電することを防ぐことができる。
【００１９】
本発明によれば、操作部のみを部分的に覆う場合に比べて、より簡易に絶縁シートを回路基板に装着させることができ、しかも発光部を絶縁シートで覆った状態で、所定処理の処理結果又は室内機からの信号を視認することができる。
【００２０】
本発明によれば、組立工程において回路基板及び絶縁シートを一時に収容体に備えることができる。
【００２１】
本発明によれば、回路基板を収容体内部に備える場合に比べて、容易に操作部を操作することができ、しかも回路基板に配された操作部のみならず、回路基板の裏側も絶縁シートで覆うことができ、裏側に埃、雨天時の水滴等が付着することを防ぐことができる。
【発明を実施するための最良の形態】
【００２２】
以下、本発明をその実施の形態１を示す図面に基づいて詳述する。
（実施の形態１）
図１は、本発明の実施の形態１に係る空気調和機の室外機の略示分解斜視図、図２は、空気調和機の室外機１及び室内機Ａから構成されるセパレートタイプの空気調和機の略示斜視図である。空気調和機の室外機１は、略直方体の筐体１０を備えている。筐体１０は、矩形の底板部１０ａを有し、底板部１０ａには正面壁１０ｄ、側壁１０ｂ、１０ｃ、及び背面壁１０ｅが略垂直に形成されている。正面壁１０ｄ、側壁１０ｂ、１０ｃ及び背面壁１０ｅの上端には、底板部１０ａと同寸法の天板部が設けられている。
【００２３】
底板部１０ａにおける横方向一端寄りの正面側部分には冷媒を圧縮する圧縮機１３がねじ止め固定されており、横方向他端側の側壁１０ｂ及び背面壁１０ｅには、冷媒が循環して熱交換する室外熱交換器１４が側壁１０ｂ及び背面壁１０ｅを覆うように配設されている。
【００２４】
底板部１０ａにおける横方向他端寄りの背面側部分には、ファン１５が設けられている。ファン１５は、筐体１０の背面壁１０ｅに形成された図示しない吸込口から空気を吸い込み、室外熱交換器１４で熱交換された空気を正面壁１０ｄに形成された吹出口１０ｇから吹き出す。また、筐体１０内には、図示しないキャピラリチューブが収容されており、圧縮機１３、室外熱交換器１４、キャピラリチューブ、及び室内機Ａの室内熱交換機は、この順で冷媒配管Ｂにて接続され、冷媒が循環する冷媒サイクルを構成している。
【００２５】
筐体１０内部の室外熱交換器１４側と、圧縮器１３側とは仕切板１０ｆによって仕切られており、圧縮機１３の上方には、制御回路２０（図５参照）を収容している略直方体の電装箱１１が形成されている。電装箱１１を構成する正面板部１１ａの外側には、入出力装置１２が配設されている。
【００２６】
図３は、電装箱１１に配設された入出力装置１２の略示斜視図、図４は、入出力装置１２の略示側面図である。入出力装置１２は、発光部１２ｃ及び操作部１２ｂが配された矩形の回路基板１２ａを備えており、回路基板１２ａは、電装箱１１の正面板部１１ａに対して略平行に離隔し、正面板部１１ａと回路基板１２ａとの間隔が一定になるように４本のスペーサ１２ｄ，…，１２ｄ、例えば品川商工株式社製のサーキットボード・スペーサで支持されている。
【００２７】
電装箱１１の正面板部１１ａには、４本のスペーサ１２ｄ，…，１２ｄを支持するための直径約４．８ｍｍの支持孔が形成され、スペーサ１２ｄ，…，１２ｄの基部１２ｉ，…，１２ｉは当該支持孔に固定されている。
【００２８】
回路基板１２ａは略矩形であり、各頂点部分には、スペーサ１２ｄ，…，１２ｄの先端部が固定される直径約４．０ｍｍの孔部１２１ａ，…，１２１ａにより、挿通したスペーサ１２ｄ，…，１２ｄの先端部と、回路基板１２ａとが固定される。
【００２９】
発光部１２ｃは、回路基板１２ａに並設された複数の発光ダイオード１２１ｃ、１２２ｃ、１２３ｃを備えている。操作部１２ｂは、発光部１２ｃの近傍に並設された押しボタン式の第１操作ボタン１２１ｂ及び第２操作ボタン１２２ｂから構成されている。
【００３０】
回路基板１２ａの側部には、コネクタベースが設けられており、コネクタベースには、発光部１２ｃ及び操作部１２ｂと制御回路２０とを接続するハーネス１２ｇのハウジングが接続されている。第１操作ボタン１２１ｂ及び第２操作ボタン１２２ｂが操作された場合、制御回路２０に所定処理の実行を開始させる信号が入力される。例えば、第１操作ボタン１２１ｂが押下された場合、制御回路２０には冷媒回収の信号が入力され、第２操作ボタン１２２ｂが押下された場合、図１に示すように空気調和機の室外機１、一台に対して室内機Ａを複数接続できる空気調和機において室内機Ａ及び空気調和機の室外機１間の冷媒配管Ｂの順番を間違えていないかの検査を開始させる信号が入力される。
【００３１】
また、回路基板１２ａの正面側、特に発光部１２ｃ及び操作部１２ｂは、回路基板１２ａと同寸法又はそれ以上の寸法の絶縁シート１２ｆによって覆われている。絶縁シート１２ｆの一辺は、図４に示すように回路基板１２ａの上辺部に接着剤１２ｈにて接着されている。
【００３２】
図５は、空気調和機の室外機１の回路図である。空気調和機の室外機１は、交流電源１６から給電された交流を直流に変換し、直流の電力をインバータ１８に与えるコンバータ１７を備えている。コンバータ１７の両出力端子には、平滑コンデンサＣ１が接続されている。平滑コンデンサＣ１は、電解コンデンサである。
【００３３】
インバータ１８は、スイッチング素子を備え、コンバータ１７が変換した直流を、圧縮機１３のブラシレスＤＣモータへ断続的に供給する。
【００３４】
また、コンバータ１７の両出力端子には、直流電源回路１９が接続されており、直流電源回路１９は、コンバータ１７から出力される直流の電圧を所定電圧に変換する。直流電源回路１９の出力端子には、制御回路２０が接続されており、直流電源回路１９から供給された直流で動作する。また、直流電源回路１９の両出力端子には、電源ノイズを除去する電解コンデンサＣ２が接続されている。
【００３５】
制御回路２０は、図示しないＣＰＵ、ＲＯＭ、ＲＡＭ等を備えている。ＲＯＭは、圧縮機１３による冷媒の圧縮、所定処理を実行するためのコンピュータプログラムを記憶しており、制御回路２０は、ＲＯＭが記憶したコンピュータプログラムをＲＡＭに展開して実行することで、所定処理等を実行し、処理結果に応じて発光部１２ｃを発光させる。また、制御回路２０には、図示しないシリアル通信回路が接続されており、シリアル通信回路を介して、室内機Ａと検査に関する信号を送受信するように構成されている。
【００３６】
実施の形態１にあっては、検査員又は設置者が制御回路２０に所定処理を実行させて、空気調和機を検査する場合、絶縁シート１２ｆを介して操作部１２ｂを操作する。従って、操作部１２ｂの操作時に検査員又は設置者が感電することを防ぐことができる。
【００３７】
また、操作部１２ｂのみを部分的に覆うように絶縁シート１２ｆを回路基板１２ａに接着する場合に比べて、より簡易に絶縁シート１２ｆを回路基板１２ａに接着することができる。
【００３８】
更に、絶縁シート１２ｆは透明であるため、検査員又は設置者は、操作部１２ｂ及び発光部１２ｃを絶縁シート１２ｆで覆った状態で、発光部１２ｃの点灯及び消灯を視認、つまり所定処理の処理結果及び室内機Ａからの信号を確認することができる。
【００３９】
なお、実施の形態１では、発光部及び操作部を絶縁シートで覆うように構成してあるが、操作部のみを絶縁シートで覆うように構成しても良い。
【００４０】
また、絶縁シートで操作部のみを覆う場合、不透明の絶縁シートを用いても良い。但し、透光性を有する絶縁シートを用いた方が、操作部の配置箇所を視認することができ、操作部の操作性をより向上させることができる。
【００４１】
更に、入出力装置１２を電装箱１１の正面側に配設してあるが、電装箱１１の側面側に配設しても良い。
【００４２】
（実施の形態２）
図６は、実施の形態２における入出力装置２１２の略示斜視図、図７は、入出力装置２１２の分解斜視図である。実施の形態２に係る空気調和機の室外機１は、絶縁シート２１２ｆの構成のみが実施の形態１に係る空気調和機の室外機１と異なるため、以下では主に上記相違点を説明する。
【００４３】
絶縁シート２１２ｆは、回路基板１２ａと同寸法又はそれ以上の寸法の矩形状であり、各頂点部分には、回路基板１２ａに形成された孔部１２１ａ，…，１２１ａと同型状及び同ピッチの孔部２１２ｈ，…，２１２ｈが形成されている。スペーサ１２ｄ，…，１２ｄは、回路基板１２ａの孔部１２１ａ，…，１２１ａと、絶縁シート２１２ｆの孔部２１２ｈ，…，２１２ｈとを挿通した先端部１２ｅ，…，１２ｅにて、絶縁シート２１２ｆを回路基板１２ａの操作部１２ｂ側に固定している。
【００４４】
実施の形態２に係る空気調和機の室外機１にあっては、組立工程において回路基板１２ａ及び絶縁シート２１２ｆを一時に電装箱１１に備えることができ、絶縁シート２１２ｆを回路基板１２ａに接着する場合に比べて、より簡易に絶縁シート２１２ｆを回路基板１２ａに装着することができる。
【００４５】
また、絶縁シート２１２ｆを回路基板１２ａに固定するための接着剤１２ｈが不要であるため、より低コストで絶縁シート２１２ｆを回路基板１２ａに備えることができる。
【００４６】
実施の形態２に係る空気調和機の室外機１の他の構成、作用及び効果は、実施の形態１に係る空気調和機の室外機１の構成、作用及び効果と同様であるため、対応する箇所には同様の符号を付して詳細な説明を省略する。
【００４７】
図８は、変形例に係る入出力装置２１２の略示側断面図である。
実施の形態２にあっては、４つの孔部２１２ｈ，…，２１２ｈを形成した絶縁シート２１２ｆを説明したが、図８に示すように、回路基板１２ａの上辺部に挿通した２本のスペーサ１２ｄ，１２ｄに挿通する２個の孔部２１２ｈ，２１２ｈのみを備えた絶縁シート２１２ｆを備えても良い。
【００４８】
（実施の形態３）
図９は、実施の形態３における入出力装置３１２の略示側面図、図１０は、実施の形態３における絶縁シート３１２ｆの模式図である。実施の形態３に係る空気調和機の室外機１は、絶縁シート３１２ｆの構成のみが実施の形態１に係る空気調和機の室外機１と異なるため、以下では主に上記相違点を説明する。
【００４９】
絶縁シート３１２ｆは、略矩形であり、電装箱１１を構成する正面板部１１ａと回路基板１２ａの上辺部との間、及び上辺部と下辺部との間に亘って回路基板１２ａを覆うことができるように形成されている。例えば、絶縁シート３１２ｆの横幅は、回路基板１２ａの横幅と同寸法であり、絶縁シート３１２ｆの縦幅は、回路基板１２ａの縦幅と、スペーサ１２ｄ，…，１２ｄの高さと所定余長とを加算した寸法である。
【００５０】
絶縁シート３１２ｆの縦方向一端側の各頂点には、図１０に示すように、孔部３１２ｊ，３１２ｊが形成されており、孔部３１２ｊ，３１２ｊには上側の各スペーサ１２ｄ，１２ｄの基部１２ｉ，１２ｉが挿通し、絶縁シート３１２ｆは一端側を下方に向けて、電装箱１１の正面板部１１ａとスペーサ１２ｄ，…，１２ｄとの間に挟まれるようにして保持されている。
【００５１】
絶縁シート３１２ｆの一端側は、電装箱１１の正面板部１１ａと回路基板１２ａの上辺部との間に亘って湾曲しており、絶縁シート３１２ｆの他端側は、回路基板１２ａの操作部１２ｂ側を覆っている。絶縁シート３１２ｆの他端側には、回路基板１２ａに形成された孔部１２１ａ，…，１２１ａと同型状及び同ピッチの孔部３１２ｈ，…，３１２ｈが形成されている。孔部３１２ｈ，…，３１２ｈには、回路基板１２ａの孔部１２１ａ，…，１２１ａを挿通したスペーサ１２ｄ，…，１２ｄの先端部１２ｅ，…，１２ｅが挿通し、スペーサ１２ｄ，…，１２ｄは、絶縁シート３１２ｆを回路基板１２ａの操作部１２ｂ側に固定している。
【００５２】
実施の形態３に係る空気調和機の室外機１にあっては、回路基板１２ａに配された操作部１２ｂのみならず、回路基板１２ａの裏側も絶縁シート３１２ｆで覆うことができ、表側のみならず、裏側においても埃、雨天時の水滴等が付着することを防ぐことができる。
特に、絶縁シート３１２ｆは、回路基板１２ａの上側を覆っているため、上方からの水滴、埃が付着することを防ぐことができる。
【００５３】
実施の形態３に係る空気調和機の室外機１の他の構成、作用及び効果は、実施の形態１に係る空気調和機の室外機１の構成、作用及び効果と同様であるため、対応する箇所には同様の符号を付して詳細な説明を省略する。
【図面の簡単な説明】
【００５４】
【図１】本発明の実施の形態１に係る空気調和機の室外機の略示分解斜視図である。
【図２】空気調和機の室外機及び室内機から構成されるセパレートタイプの空気調和機の略示斜視図である。
【図３】電装箱に配設された入出力装置の略示斜視図である。
【図４】入出力装置の略示側面図である。
【図５】空気調和機の室外機の回路図である。
【図６】実施の形態２における入出力装置の略示斜視図である。
【図７】入出力装置の分解斜視図である。
【図８】変形例に係る入出力装置の略示側断面図である。
【図９】実施の形態３における入出力装置の略示側面図である。
【図１０】実施の形態３における絶縁シートの模式図である。
【図１１】従来の空気調和機の室外機の構成を示すブロック図である。
【符号の説明】
【００５５】
１  空気調和機の室外機
１０  筐体
１０ａ  底板部
１０ｂ、１０ｃ  側壁
１０ｄ  正面壁
１０ｅ  背面壁
１０ｆ  仕切板
１１  電装箱
１１ａ  正面板部
１２  入出力装置
１２ａ  回路基板
１２ｂ  操作部
１２ｃ  発光部
１２ｄ，…，１２ｄ  スペーサ
１２ｆ  絶縁シート
１２ｇ  ハーネス
１２ｈ  接着剤
１３  圧縮機
１４  室外熱交換器
１５  ファン
１６  交流電源
１７  コンバータ
１８  インバータ
１９  直流電源回路
２０  制御回路
１２１ｂ  第１操作ボタン
１２２ｂ  第２操作ボタン
１２１ｃ、１２２ｃ、１２３ｃ  発光ダイオード
１２１ａ，２１２ｈ，３１２ｈ，３１２ｊ  孔部
Ａ  室内機
Ｂ  冷媒配管
【図１】
0004688737.tif 000002
【図２】
0004688737.tif 000003
【図３】
0004688737.tif 000004
【図４】
0004688737.tif 000005
【図５】
0004688737.tif 000006
【図６】
0004688737.tif 000007
【図７】
0004688737.tif 000008
【図８】
0004688737.tif 000009
【図９】
0004688737.tif 000010
【図１０】
0004688737.tif 000011
【図１１】
0004688737.tif 000012